(57)【特許請求の範囲】
【請求項１】
貯水槽２より突設して側方を向く注出管３内に後部を液密に嵌着するとともに、先端開口を弾性圧搾可能な弾性壁８で閉塞し、且つ、注出口９を開口した主筒４と、該主筒４外周より延設して上記注出管３外周に嵌合させた装着筒５と、上記弾性壁８内面より後方へ突設した連結杆14の後端部に連結するとともに、上記注出口９後方の主筒４内周面に外周縁を液密摺動可能に嵌合した弁体６と、上記主筒４外面より突設した支持板17に揺動可能に基端部を連結して上記弾性壁８前面を押し込み可能に横切るレバー７と、該レバー７先端部と対向する位置に上記主筒４部分より突設した指掛け板20と、レバー７の係止機構21とを備え、上記レバー７の押し込みにより上記弁体６と上記主筒４との間に上記貯水槽２内と上記注出口９とを連通する隙間が生じる如く構成したことを特徴とする注出栓。
【請求項２】
上記装着筒５が、主筒４と別体に且つ主筒４に対して回動可能に形成された装着筒である請求項１記載の注出栓。
【請求項３】
上記主筒４内周面より突設した周方向複数の連結板26により、上記連結杆14を前後動可能に挿通する案内筒27を支持してなる請求項１記載の注出栓。
【請求項４】
上記注出口９が、内部を仕切り32によりエア導入路と液注出路に区画した筒状に形成してなる注出口である請求項１記載の注出栓。
【発明の詳細な説明】
【０００１】
【発明の属する技術分野】
本発明は注出栓に関し、詳しくは貯水槽の側方に突設した注出管に装着して液の注出を行える如くした注出栓に関する。
【０００２】
【従来の技術】
液体を収納した貯水槽の収納液を取り出す際に、例えば、貯水槽の下部に於いて側方に突設した注出管を介して行う場合がある。その場合は一般に収納液の自重で注出管より液が注出される。これらの注出管には当然コック付きのバルブ等の液の流出を防止するための装備が備えられており、必要に応じてコックを回して液の分取を行う。
【０００３】
これらのコック付きバルブの場合にはカップへの液の注入の際に両手を必要としている。また、コックを回動させるためその回動方向を誤ったり、コックの回動が硬く作動に比較的力を必要とするなど使い勝手に問題があった。
【０００４】
【発明が解決しようとする課題】
本発明は上記した点に鑑みなされたもので、貯水槽の注出管に装着して使用する注出栓であって、簡単な操作で液の注出、注出停止を行えるとともに、わずかな力で作動させることができて使い勝手が良く、また、装着も容易で円滑な作動性を有し、構造も簡単で安価に製造できる注出栓を提案するものである。
【０００５】
【課題を解決するための手段】
第１の手段として、以下の通り構成した。即ち、貯水槽２より突設して側方を向く注出管３内に後部を液密に嵌着するとともに、先端開口を弾性圧搾可能な弾性壁８で閉塞し、且つ、注出口９を開口した主筒４と、該主筒４外周より延設して上記注出管３外周に嵌合させた装着筒５と、上記弾性壁８内面より後方へ突設した連結杆14の後端部に連結するとともに、上記注出口９後方の主筒４内周面に外周縁を液密摺動可能に嵌合した弁体６と、上記主筒４外面より突設した支持板17に揺動可能に基端部を連結して上記弾性壁８前面を押し込み可能に横切るレバー７と、該レバー７先端部と対向する位置に上記主筒４部分より突設した指掛け板20と、レバー７の係止機構21とを備え、上記レバー７の押し込みにより上記弁体６と上記主筒４との間に上記貯水槽２内と上記注出口９とを連通する隙間が生じる如く構成した。
【０００６】
第２の手段として、以下の通り構成した。即ち、前記第１の手段に於いて、上記装着筒５が、主筒４と別体に且つ主筒４に対して回動可能に形成された装着筒である如く構成した。
【０００７】
第３の手段として、以下の通り構成した。即ち、前記第１の手段に於いて、上記主筒４内周面より突設した周方向複数の連結板26により、上記連結杆14を前後動可能に挿通する案内筒27を支持した。
【０００８】
第４の手段として、以下の通り構成した。即ち、前記第１の手段に於いて、上記注出口９が、内部を仕切り32によりエア導入路と液注出路に区画した筒状に形成してなる注出口である如く構成した。
【０００９】
【発明の実施の形態】
以下、本発明の実施の形態を図面を参照して説明する。
【００１０】
図面に示す如く、本発明の注出栓１は、貯水槽２より突設して側方を向く注出管３に装着し、その貯水等をコップ等の器に注ぎ出す際に使用するもので、主筒４と、装着筒５と、弁体６と、レバー７とを備えている。
【００１１】
主筒４は、上記注出管３内に後部を液密に嵌着するとともに、先端開口を球面状に突出した弾性圧搾可能な弾性壁８で閉塞し、且つ下面に注出口９を開口している。図１に於いて主筒４は、外周後部より突設したフランジ10を注出管３前面に当接させ、その後部外周を注出管３先端内面に液密に嵌着させている。また、弾性壁８は別体に形成し、その周縁部を主筒４先端に形成した嵌合溝内に挟持させて接着，融着等の適宜固着手段により液密に固定している。注出口９は主筒４の中間部より下方へ垂設した筒状に構成している。尚、弾性壁８は別体に形成したものに限らず、主筒４と一体に形成することも出来る。この場合には、主筒部分と比較して肉薄に形成する等して弾力性を付与すると良い。また、注出口９を形成する筒部の先端を中心線に対し斜めに切断する等の方法で、注出口９先端開口を傾斜させて注出液と導入エアの置換をより行い易くすることができる。
【００１２】
装着筒５は、主筒４外周の上記注出口後方より延設して上記注出管３外周に嵌合させたもので、図１の実施例では主筒４と別体に形成しており、先端縁より内方へ突設した周方向複数の係合突条11を上記主筒４のフランジ10前面に回動可能に係合させて主筒４からの抜け出しを防止するとともに、主筒４に対して回動可能に装着しており、内周面に周設した螺条12を注出管３外周の螺条13に螺合させている。尚、別体の場合には上記の場合とは別に、先端縁よりフランジを延設し、該フランジを主筒４のフランジ10前面に回動可能に係合しても良く、或いは先端縁より短いフランジをを突設してその先端縁より周方向複数の係合突条を突設した形態であっても良い。
【００１３】
装着筒５はこの様に主筒４と別体に形成する場合の外に、主筒４と一体に形成することも可能である。また、装着筒５の注出管３への嵌合係止は、上記した螺合に限らず突条相互の乗越え係合により抜け出しの防止を図る等種々の形態を採用できる。
【００１４】
弁体６は、常時は上記弾性壁８内面より後方へ突設した連結杆14を介して延設するとともに、上記注出口９後方の上記主筒４内周面に外周縁を液密摺動可能に嵌合しており、貯水槽２内と注出口９との連通を遮断している。図１の実施例では、弾性壁８内面中央より突設した嵌合筒15内に棒状の連結杆14前端を嵌着固定するとともに、連結杆14の後端部より後方へ広がるスカート状の弁体６を延設し、その後端縁の短筒状の摺動部16を主筒４内周後端部に液密摺動可能に嵌着している。
【００１５】
この弁体６は、レバー７の押し込みにより後退してその摺動部16が主筒４より外れ、主筒４との間に貯水槽２内と注出口９とを連通する隙間が生じる如く構成しており、レバー７の押圧を解除すれば、弾性壁８の弾性復元力で元の状態に戻り、両者の連通を遮断する如く構成している。尚、後述する実施例の如く、主筒４内周後端部を大径にして、この大径部分に摺動部が到達した時点で連通する如く構成しても良い。この様に構成するために、例えば、摺動部16の嵌合位置や弁体６の押し込み幅を適宜選択する。
【００１６】
レバー７は、上記主筒４より突設した支持板17に揺動可能に基端部を連結して上記弾性壁８前面を押し込み可能に横切る如く構成している。図１の実施例では、主筒４外面より外方へ延びる横板17a 先端より前方へ縦板17b を延設してなるＬ字板状をなす支持板17の縦板17b 先端縁に薄肉ヒンジ18を介して基端部を揺動可能に連結するとともに、後面を上記弾性壁８に当接して構成している。また、支持板17は上記の如きものに限らず、上記要件を満たせば種々の形態を採用でき、例えば、図３に示す如く、主筒４外面より外方へ延びる短い第１横板17c より前方へ縦板17d を延設し、更に第２横板17e を外方に延設し、縦板17d 及び第２横板17e 間に補強用のリブ板19を掛け渡した形態のものであっても良く、或いは後述する別の実施例の如き形態であっても良く、これらに限らない。
【００１７】
また、レバー７の先端部と対向する位置に上記主筒４部分より突設した指掛け板20を設けている。この指掛け板20はレバー７を押し込む際に指を掛けて、両者をつまむ形で容易にレバー７の押し込みを行えるよう設けたものである。
【００１８】
更に、本発明ではレバー７の揺動幅を規制する係止機構21を設けている。この係止機構21は、レバー７が不必要に外方へ開かないように設けたもので、図１の実施例では、上記横板１より突設したフック22を、対向位置のレバー７に穿設した係合孔23に挿通して、その先端部の鉤部24を、抜け出しを防止して且つレバー７の押し込み可能に、レバー７表面に係合させている。このフック22と係合孔23は図４に示す如くそれぞれ逆に形成しても良い。
【００１９】
また、この種の支持板17及びレバー７に於いて、係止機構はこれに限らず、上記要件を満たしていれば種々の形態を採用でき、例えば、図５に示す如く、横板対向位置のレバー７両側からそれぞれフック22a を突設し、各フック22a の先端鉤部24a を横板17a の両側後面にそれぞれ係合させる如く構成した係止機構21であっても良く、また、その逆であっても良い。
【００２０】
また、本発明では、図６に示す如く、主筒４内周面より中心に向かって突設した周方向複数の連結板26を介して、連結杆14を前後動可能に挿通する案内筒27を設けても良い。この案内筒27を設けることにより、連結杆14及び弁体６が横ぶれのない前後動を行える如く構成している。
【００２１】
図６の実施例の場合は図１の実施例に於いて、弾性壁８の周縁部を二股に形成して主筒４前端を嵌着固定している。また、装着筒５は主筒４外周後部より延設したフランジ28を介して一体に形成しており、内周面に周設した係合突条29を注出管３外周の係止突条30に乗り越え係合させて抜け出しの防止を図っている。
【００２２】
図７は他の実施例を示し、本実施例では図１の実施例に於いて、連結杆14及び弁体６以外を全て合成樹脂の一体成形により形成している。（尚、フック22の位置は図１の実施例と逆である。）また、レバー７裏面に、弾性壁８の前面中央部を押圧する押圧突起31を突設している。この押圧突起31は本発明の他の実施例にも適用できる。また、本発明では、本実施例の如く、内部を仕切り32によりエア導入路と液注出路に区画した筒状に形成してなる注出口９を設けても良い。その他は図１の実施例と同様である。
【００２３】
図８は更に他の実施例を示し、本実施例では、主筒４の後部を、外側の外筒部4aと、内側の内筒部4bとで構成しており、外筒部4aを注出管３内周に密嵌している。また、内筒部4bに弁体６周縁部を同様に嵌合させるとともに、内筒部4bの後端部内面を大径に形成した大径部33を設け、押し込まれた弁体６が大径部33に到達した際に貯水槽２内と注出口９とが連通する如く構成している。
【００２４】
また、弾性壁８は、外周より突設したフランジ34を主筒４前端面に当接させてその後部の周縁部を主筒４内周に密嵌固定しており、その前面中央に突部35を突設している。更に、嵌着した弾性壁８の抜け出しを防止するために、弾性壁８のフランジ34前面に係合させたフランジ36を先端部より延設して主筒４外周先端部に抜け出しを防止してリング37を嵌着させており、リング37上面の後部に指掛け板20を立設している。
【００２５】
支持板17は、リング36の下面より所定間隔をあけて一対垂設しており、前面下部に軸受38を凹設している。また、レバー７は、両側面より突設した軸39をそれぞれ軸受38に枢着した枢着部40を裏面下端部から突設し、弾性壁８前面を下方から上方へ横切る如く装着している。更に、枢着部40両側のレバー７裏面を各支持板17の前面下端部に係止させてそれ以上の前方への回動を防止する係止機構21を構成している。
【００２６】
上記の如く構成した注出栓１は、指掛け板20に指を引っかけてレバー７を押し込めば、弾性壁８が内方へ弾性変形して連結杆14を押し込み、弁体６の摺動部分が主筒４内周面と離れて貯水槽２内と注出口９とが連通し、液が注出口９を介して流出する。また、レバー７の押圧を解除すれば、弾性壁８の弾性復元力によりレバー７が引き戻され、弁体６の摺動部分が主筒４内周面と液密に嵌合して貯水槽２内と注出口９とが遮断され、液の注出が停止する。この際、レバー７は係止機構21の作用で、所定位置まで押し戻されて停止する。
【００２７】
【発明の効果】
以上説明した如く、本発明の注出栓は既述構成としたことにより、指掛け板20に指をかけつつレバー７を押し込めば液を注出することができ、レバーは梃の作用による小さな力で押し込むことができるとともに、指掛け板の存在でつまむ形で押し込むことができるため力を掛け易く、収納液が少なくなっても安定した注出を容易に行うことができる。また、レバーの揺動幅を規制する係止機構21を備えているため、一端押し込んだレバー７が弾性壁８の復元力により戻された際に、所定位置にてとどまることができ、不必要にひらいてしまうことがなく、次回の押し込みの際に無駄なく押し込むことができる。
【００２８】
また、第２の手段の注出栓では、栓装着の際に注出口９の後方等を簡単に且つ正確に定めることができ、迅速に装着を行うことができる利点を兼ね備えている。
【００２９】
また、第３の手段の注出栓は、弁体６の前後動を円滑に且つより正確に行えて、弁体シール部分の液密性をより長く安定して保持できる利点を兼ね備えている。
【００３０】
また、第４の手段の注出栓は、注出液と置換空気との出入りが円滑に行え、より速やかな液の注出を行える利点を兼ね備えている。
【図面の簡単な説明】
【図１】本発明の一実施例を示す一部切欠平面図である。
【図２】同実施例の斜視図である。
【図３】本発明の他の実施例を示す要部平面図である。
【図４】本発明の更に他の実施例を示す要部平面図である。
【図５】本発明の更に他の実施例を示す斜視図である。
【図６】本発明の更に他の実施例を示す一部切欠平面図である。
【図７】本発明の更に他の実施例を示す一部切欠平面図である。
【図８】本発明の更に他の実施例を示す縦断面図である。
【図９】同実施例の半底面図である。
【符号の説明】
２…貯水槽，３…注出管，４…主筒，５…装着筒，６…弁体，７…レバー，
８…弾性壁，９…注出口，14…連結杆，17…支持板，20…指掛け板，
21…係止機構，26…連結板
【図１】
0003929785.tif 000002
【図２】
0003929785.tif 000003
【図３】
0003929785.tif 000004
【図４】
0003929785.tif 000005
【図５】
0003929785.tif 000006
【図６】
0003929785.tif 000007
【図７】
0003929785.tif 000008
【図８】
0003929785.tif 000009
【図９】
0003929785.tif 000010